(57)【要約】【課題】  従来から使用されていた道路照明灯の構造をそのまま使用することができ、費用や時間を最低限に抑えて、道路照明灯の照明具を水銀灯やナトリウム灯からＬＥＤ照明具に取り替えることができる道路照明灯用口金分離型高さ調整具付きＬＥＤ照明具を提供すること。【解決手段】  本発明に係る道路照明灯用口金分離型高さ調整具付きＬＥＤ照明具は、水銀灯又はナトリウム灯等の照明具を取り付けるためのランプソケットを備えた既存の道路照明灯に取り付けて使用するＬＥＤ照明具であって、口金部材と、ＬＥＤ照明部材とを備え、前記口金部材が支持ブラケットを有し、前記ＬＥＤ照明部材が取付ブラケットを有し、前記支持ブラケットと前記取付ブラケットとを相互に取付位置が調整できるように構成したことを特徴とする。【選択図】    図２
2011014383.tif 000002
【特許請求の範囲】
【請求項１】
水銀灯又はナトリウム灯等の照明具を取り付けるためのランプソケットを備えた既存の道路照明灯に取り付けて使用するＬＥＤ照明具であって、
口金部材と、ＬＥＤ照明部材とを備え、
前記口金部材が、前記道路照明灯のランプソケットに取り付け可能なねじ部と、ランプソケットに取り付けた時にランプソケットの端子と電気的に接続する端子と、前記端子に接続された第一コネクタと、前記ＬＥＤ照明部材を取り付け可能な支持ブラケットとを有し、
前記ＬＥＤ照明部材が、複数のＬＥＤと、これらのＬＥＤに電力を供給する電流駆動回路と、前記電流駆動回路に接続された第二コネクタとを備えたＬＥＤ照明本体部材を備え、該本体部材に、前記口金部材の支持ブラケットに取り付け可能な取付ブラケットを設け、
前記支持ブラケットと前記取付ブラケットとを相互に取付位置が調整できるように構成した
ことを特徴とする道路照明灯用口金分離型高さ調整具付きＬＥＤ照明具。
【発明の詳細な説明】
【技術分野】
【０００１】
本発明は、水銀灯等を取り付けるように構成された既存の道路照明灯に用いることができる口金分離型ＬＥＤ照明具に関する。
【背景技術】
【０００２】
従来から、事故の防止を目的として、主要幹線道路や国道等の一般道路や高速道路には、主に車道と照らすことを目的とした道路照明灯が設定されている（特許文献１）。
道路照明灯の照明具としては、水銀灯、ナトリウム灯、蛍光灯等が用いられている。
【先行技術文献】
【特許文献】
【０００３】
【特許文献１】特開平９−６９３０６公報
【発明の概要】
【発明が解決しようとする課題】
【０００４】
上記した道路照明灯は、日没付近から翌朝の日の出時間までという長時間の点灯が必要になる。
また、照度も道路の規格、種類及び交通量等に応じて決められており、特に高速道路に設置する照明灯は大きな発光強度が求められる。
照明具にかかる消費電力は照明具の照度に比例して大きくなり、具体的には、例えば、一般道路では高さ８ｍの照明具から平均照度２０Ｌｕｘ以上が必要とされるため、約３００Ｗの水銀灯又はナトリウム灯を使用する必要がある。
従って、照明具を設置する間隔が３０ｍだとすると、１ｋｍの距離がある道路では両側で６６本の道路照明灯が設置されることになり、これらの道路照明灯で消費する電力は１９，８００Ｗになる。
上記したように、従来の道路照明灯は、消費電力が大きすぎるという問題がある。
また、従来の道路照明灯に用いられている水銀灯やナトリウム灯は寿命が短いため短期間での交換が必要になるという問題もある。
発明者は、上記した従来の問題点を解決し、従来の道路照明灯と同じだけの照度を確保しつつ、消費電力及び発熱が共に低く、さらに、長期間交換を行わなくてよい、地球温暖化対策にも適した道路照明灯を提供するために、鋭意研究を重ね、道路照明灯の照明具としてＬＥＤ照明具を使用することに着目をした。
しかし、従来の水銀灯やナトリウム灯専用に設計された道路照明灯をＬＥＤ照明具専用に設計された道路照明灯に取り替えるには、莫大な費用と時間がかかるという問題がある。
そこで、本発明は、従来から使用されていた道路照明灯の構造をそのまま使用することができ、費用や時間を最低限に抑えて、道路照明灯の照明具を水銀灯やナトリウム灯からＬＥＤ照明具に取り替えることができる道路照明灯用口金分離型高さ調整具付きＬＥＤ照明具を提供することを目的としている。
【課題を解決するための手段】
【０００５】
上記した目的を達成するために、本発明に係る道路照明灯用口金分離型高さ調整具付きＬＥＤ照明具は、水銀灯又はナトリウム灯等の照明具を取り付けるためのランプソケットを備えた既存の道路照明灯に取り付けて使用するＬＥＤ照明具であって、口金部材と、ＬＥＤ照明部材とを備え、前記口金部材が、前記道路照明灯のランプソケットに取り付け可能なねじ部と、ランプソケットに取り付けた時にランプソケットの端子と電気的に接続する端子と、前記端子に接続された第一コネクタと、前記ＬＥＤ照明部材を取り付け可能な支持ブラケットとを有し、前記ＬＥＤ照明部材が、複数のＬＥＤと、これらのＬＥＤに電力を供給する電流駆動回路と、前記電流駆動回路に接続された第二コネクタとを備えたＬＥＤ照明本体部材を備え、該本体部材に、前記口金部材の支持ブラケットに取り付け可能な取付ブラケットを設け、前記支持ブラケットと前記取付ブラケットとを相互に取付位置が調整できるように構成したことを特徴とするものである。
【発明の効果】
【０００６】
本発明に係る道路照明灯用口金分離型高さ調整具付きＬＥＤ照明具は、水銀灯又はナトリウム灯等の照明具を取り付けるためのランプソケットを備えた既存の道路照明灯に取り付けて使用するＬＥＤ照明具であって、口金部材と、ＬＥＤ照明部材とを備え、前記口金部材が、前記道路照明灯のランプソケットに取り付け可能なねじ部と、ランプソケットに取り付けた時にランプソケットの端子と電気的に接続する端子と、前記端子に接続された第一コネクタと、前記ＬＥＤ照明部材を取り付け可能な支持ブラケットとを有し、前記ＬＥＤ照明部材が、複数のＬＥＤと、これらのＬＥＤに電力を供給する電流駆動回路と、前記電流駆動回路に接続された第二コネクタとを備えたＬＥＤ照明本体部材を備え、該本体部材に、前記口金部材の支持ブラケットに取り付け可能な取付ブラケットを設け、前記支持ブラケットと前記取付ブラケットとを相互に取付位置が調整できるように構成しているので、ランプカバーや反射板の形状や大きさに関係なく、前記支持ブラケットと取付ブラケットとによりＬＥＤ照明具の取り付け高さを調整して、ランプカバーや反射板を避けて取り付けることができる。よって、既存の道路照明灯に取り付けることが可能になるという効果を奏する。
その結果、既存の道路照明灯の水銀灯等の交換時に、照明具を本発明に係るＬＥＤ照明具に取り替えることができるようになるので、既存の道路照明灯を簡単に、しかも安価にＬＥＤ照明灯に変更することが可能になる。
そして、照明具を水銀灯等からＬＥＤ照明具に変更することによって、消費電力及び発熱を低減することができ、しかも、一度取り替えれば、水銀灯等に比べて長期間交換を行わなくてよくなるという効果を奏する。
【図面の簡単な説明】
【０００７】
【図１】（ａ）は従来の水銀灯式道路照明灯の照明部分の概略側面図、（ｂ）は（ａ）に示した水銀灯式道路照明灯の概略底面図、（ｃ）は（ａ）における概略Ａ−Ａ断面図である。
【図２】本発明に係るＬＥＤ照明具の概略分解図である。
【図３】図２に示したＬＥＤ照明具における口金部材の正面図である。
【図４】図２に示したＬＥＤ照明具におけるＬＥＤ照明部材の正面図である。
【図５】図２に示したＬＥＤ照明具におけるＬＥＤ照明部材の概略斜視図である。
【図６】図１に示す道路照明灯に、水銀灯の代わりに本発明に係るＬＥＤ照明具を取り付けた状態を示す道路照明灯の照明部分の概略側面図である。
【図７】図６に示した道路照明灯の照明部分の概略底面図である。
【発明を実施するための形態】
【０００８】
以下、添付図面を参照して本発明に係る道路照明灯用口金分離型高さ調整具付きＬＥＤ照明具（以下、単にＬＥＤ照明具と称する）の実施の形態について説明していく。
【０００９】
図１は従来の水銀灯式道路照明灯の照明部分を示している。
図１において、符号１は道路照明灯を示している。道路照明灯１は、例えば逆Ｌ字状のポール２（図１においては全体が示されていない）を有し、該ポール２の先端にランプソケット３及びランプカバー４を備えている。図１（ａ）では省略してあるが、ランプカバー４の内部には、水銀灯２０を覆うように反射板５が設けられている。
図１においては、このように構成された道路照明灯１のランプソケット３には、水銀灯２０が取り付けられる。水銀灯２０はほぼ円筒形であるので、水銀灯２０本体を、それと一体に形成された口金と共に回転させてランプソケット３にねじ込むだけで道路照明灯１に取り付けることができる。
図１に示すように、既存の道路照明灯１は、それに取り付ける水銀灯２０等の照明具の形状に沿った形の反射板５が設けられているので、異なる形状の照明具を取り付けることができない。
本発明に係るＬＥＤ照明具は、このように水銀灯やナトリウム灯専用に設計された道路照明灯１に、簡単に取り付けることができるように構成されている。以下に、具体的にその構成を説明していく。
【００１０】
図２は本発明に係るＬＥＤ照明具の概略分解図である。図中符号１０は本発明に係るＬＥＤ照明具を示している。
図面に示すように、本発明に係るＬＥＤ照明具１０は、口金部材１１とＬＥＤ照明部材１２とから成る。
前記口金部材１１は、既存の道路用照明当のランプソケット３に取り付け可能なねじ部１１ａを有する有底筒状の形態である。
前記口金部材１１は、そのねじ部１１ａと底部１１ｂが、ランプソケット３に取り付けた時にランプソケットに設けられた端子と電気的に接続する端子として機能する。
口金部材１１は、端子として機能するねじ部１１ａ及び底部１１ｂに接続された第一コネクタ１１ｃを有する。
また、図３に示すように、口金部材１１の一端は蓋部材１１ｄで閉鎖されており、この蓋部材１１ｄに下方に向かって延びる支持ブラケット１１ｅが固定されている。図３中、符号１１ｆは、第一コネクタ１１ｃの線を通すために蓋部材１１ｄに形成された開口を示し、符号１１ｇは、後述するＬＥＤ照明部材１２の取付ブラケットを支持ブラケット１１ｅに固定するためのボルトである。
ＬＥＤ照明部材１２は、複数のＬＥＤ１２ａが取り付けられ、内部に電流駆動回路１２ｂが設けられたＬＥＤ照明本体部材１２ｃを有する。
前記ＬＥＤ１２ａは、具体的には例えば、５φの超高輝度砲弾型ＬＥＤであり、必要な数のＬＥＤが必要な照度を確保するために配列され得る。
前記電流駆動回路１２ｂには第二コネクタ１２ｄが接続されている。既存の道路照明灯は、使用する照明具（水銀灯、ナトリウム灯等）に応じて１００Ｖや２００Ｖの印加電圧が使用されているが、前記電流駆動回路１２ｂによりＬＥＤに供給される電流を定電流にして常の同一の輝度が確保できるように構成されている。
図４及び図５に示すように、前記ＬＥＤ照明本体部材１２ｃの一端には上方に向けてのびる取付ブラケット１２ｅが設けられている。
この取付ブラケット１２ｅには、複数の取付孔１２ｆが形成されており、取り付けるべき道路照明灯１のランプカバー４や反射板５の構造に応じて、適当な取付孔１２ｆを選択して取付ブラケット１２ｅを支持ブラケット１１ｅに固定することができるように構成されている。
尚、図４において、符号１２ｇは、第二コネクタ１２ｄの線を通すためにＬＥＤ照明本体部材１２ｃに形成された開口を示している。
【００１１】
次に、上記したように構成されたＬＥＤ照明具の取り付け方について説明していく。
始めに、口金部材１１のみを道路照明灯１のランプソケット３に取り付ける。
次いで、口金部材１１の第一コネクタ１１ｃと、ＬＥＤ照明本体部材１２ｃの第二コネクタ１２ｄを接続する。
そして、取り付けるべき道路照明灯１のランプカバー４や反射板５の構造に応じて、適当な取付孔１２ｆを選択して取付ブラケット１２ｅを支持ブラケット１１ｅにボルト１１ｇで固定する。
【００１２】
上記したように、本実施例によるＬＥＤ照明具によれば、道路照明灯１のランプソケット３に口金部材１１を取り付けた後に、支持ブラケット１１ｅ及び取付ブラケット１２ｅを使用して、口金部材１１にＬＥＤ照明本体部材１２ｃを固定するので、取り付け時にＬＥＤ照明本体部材１２ｃを回転させる必要がない。
また、前記支持ブラケット１１ｅ及び取付ブラケット１２ｅが高さ調整具として機能して、ＬＥＤ照明具の取り付け高さを任意の位置に調整することができるので、取り付けるべき道路照明灯のランプケースや反射板の形状に関係なく、これらを避けるように高さを調整してＬＥＤ照明具を取り付けることが可能になる。
このため、ＬＥＤ照明本体部材１２ｃの形状を、必要な照度を確保するために任意の形状に設計することが可能になる。
また、上記した実施例では、取付ブラケット１２ｅに複数の取付孔１２ｆを設けて、任意の取付孔１２ｆを用いて支持ブラケット１１ｅに取り付けることができるように構成しているので、様々な構造の道路照明灯１に適用することが可能である。
【００１３】
尚、上記した実施例では、取付ブラケット１２ｅに複数の取付孔１２ｆを設けて、口金部材１１に対するＬＥＤ照明部材１２の取付位置を調整することができるように構成しているが、この構成は本実施例に限定されることなく、例えば、口金部材１１の支持ブラケット１１ｅに複数の取付孔を設けてもよく、勿論、支持ブラケット１１ｅ及び取付ブラケット１２ｅの両方に複数の取付孔を設けてもよい。
【符号の説明】
【００１４】
１  道路照明灯
２  ポール
３  ランプソケット
４  ランプカバー
５  反射板
１０  ＬＥＤ照明具
１１  口金部材
１１ａ  ねじ部（端子）
１１ｂ  底部（端子）
１１ｃ  第一コネクタ
１１ｄ  蓋部材
１１ｅ  支持ブラケット
１１ｆ  開口
１１ｇ  ボルト
１２  ＬＥＤ照明部材
１２ａ  ＬＥＤ
１２ｂ  電流駆動回路
１２ｃ  ＬＥＤ照明本体部材
１２ｄ  第二コネクタ
１２ｅ  取付ブラケット
１２ｆ  取付孔
１２ｇ  開口
２０  水銀灯
【図１】
2011014383.tif 000003
【図２】
2011014383.tif 000004
【図３】
2011014383.tif 000005
【図４】
2011014383.tif 000006
【図５】
2011014383.tif 000007
【図６】
2011014383.tif 000008
【図７】
2011014383.tif 000009